(57)【要約】【課題】優先的なシステムが位置するまで全ての有効な地理位置とシステムとを探索する必要がなく、ユーザの位置に基づいてシステムを迅速に取得すること。【解決手段】本方法は、移動通信デバイスの位置決めを行うステップ３０２と、生成された位置をポジション範囲に変換するステップ３０４と、ルックアップテーブルを用い、ポジション範囲を、ポジション範囲に対する少なくとも１つの優先的なＳＩＤインデクスに一致させるステップ３０６と、少なくとも１つの優先的なＳＩＤインデクスに対応している優先的なＳＩＤを、ローミングリストから選択するステップ３０８と、移動通信デバイスを、優先的なＳＩＤによって表示された優先的なシステムに対応するチャンネルへ接続するステップ３１０とからなる。
2005505949.tif 000002
【特許請求の範囲】
【請求項１】
移動通信デバイスであって、
信号送信器と、
信号受信器と、
固定テーブルを備え、前記信号送信器および前記信号受信器と通信するメモリであって、前記固定テーブルに従って、位置を直接的に少なくとも１つの優先的なシステムに一致させるメモリと
を備えた移動通信デバイス。
【請求項２】
請求項１に記載の移動通信デバイスにおいて、
位置コンバータを更に備えた移動通信デバイス。
【請求項３】
請求項１に記載の移動通信デバイスにおいて、
前記信号送信器と前記信号受信器は、移動電話送信器と移動電話受信器である移動通信デバイス。
【請求項４】
請求項１に記載の移動通信デバイスにおいて、
前記メモリは、少なくとも１つのデジタル記憶デバイスを備えた移動通信デバイス。
【請求項５】
請求項１に記載の移動通信デバイスにおいて、
前記信号送信器、前記信号受信器および前記メモリと通信するプロセッサを更に備えた移動通信デバイス。
【請求項６】
請求項１に記載の移動通信デバイスにおいて、
前記固定テーブルは、少なくとも１つのローミングリストと、少なくとも１つのルックアップテーブルとを備えた移動通信デバイス。
【請求項７】
請求項６に記載の移動通信デバイスにおいて、
前記少なくとも１つのルックアップテーブルは、前記信号送信器によってなされる基地局へのアクセスに基づいて、前記基地局に関するデバイスの既知の地理ポジションと、前記ローミングリスト内におけるＳＩＤインデクスとを対応付ける移動通信デバイス。
【請求項８】
請求項７に記載の移動通信デバイスにおいて、
前記移動通信デバイスは、前記地理ポジションの前記ＳＩＤインデクスとの対応付けに基づいて、対応付けられたＳＩＤインデクスを、優先的なチャンネルに合わせる移動通信デバイス。
【請求項９】
請求項８に記載の移動通信デバイスにおいて、
前記デバイスは、前記移動通信デバイスによって優先的なチャンネルが接続されるまで、少なくとも２つの優先的なチャンネルシーケンスを探索することによって優先的なチャンネルに合わせる移動通信デバイス。
【請求項１０】
請求項１に記載の移動通信デバイスにおいて、
ロケータを更に備えた移動通信デバイス。
【請求項１１】
請求項１０に記載の移動通信デバイスにおいて、
前記ロケータは、ＧＰＳを用いて前記移動通信デバイスの位置決めを行う移動通信デバイス。
【請求項１２】
請求項１０に記載の移動通信デバイスにおいて、
前記ロケータは、三角測量法を利用して前記移動通信デバイスの位置決めを行う移動通信デバイス。
【請求項１３】
請求項１０に記載の移動通信デバイスにおいて、
前記ロケータによって生成された位置を、前記固定テーブルにおける地理領域に変換する位置コンバータを更に備えた移動通信デバイス。
【請求項１４】
請求項１３に記載の移動通信デバイスにおいて、
前記位置コンバータは、前記メモリに搭載されたソフトウェアプログラムを備えている移動通信デバイス。
【請求項１５】
移動通信システムにおいて、
少なくとも１つの基地局と、少なくとも１つの移動通信デバイスとを備え、
前記移動通信デバイスは、
信号を前記少なくとも１つの基地局に送信する信号送信器と、
前記少なくとも１つの基地局からの信号を受信する信号受信器と、
固定テーブルを含み、前記少なくとも１つの移動通信デバイスの位置を、少なくとも１つの優先的なシステムに直接的に一致させるメモリと
を備えている移動通信システム。
【請求項１６】
請求項１５に記載の移動通信システムにおいて、
前記移動通信デバイスは、位置コンバータを更に備えた移動通信システム。
【請求項１７】
請求項１５に記載の移動通信システムにおいて、
前記移動通信デバイスは、更にプロセッサを備えた移動通信システム。
【請求項１８】
請求項１５に記載の移動通信システムにおいて、
前記固定テーブルは、少なくとも１つのローミングリストと、少なくとも１つのルックアップテーブルとを備えている移動通信システム。
【請求項１９】
請求項１８に記載の移動通信システムにおいて、
前記少なくとも１つのルックアップテーブルは、前記移動通信デバイスによる少なくとも１つの基地局のうちの少なくとも１つへのアクセスに基づいて、前記少なくとも１つの基地局のうちの少なくとも１つに関する前記移動通信デバイスの既知の地理ポジションと、前記ローミングリスト内におけるＳＩＤインデクスとを対応付けるようにした移動通信システム。
【請求項２０】
請求項１５に記載の移動通信システムにおいて、
少なくとも１つのロケータを更に備えた移動通信システム。
【請求項２１】
請求項２０に記載の移動通信システムにおいて、
前記ロケータは、ＧＰＳを利用して、前記移動通信デバイスの位置決めを行う移動通信システム。
【請求項２２】
請求項１５に記載の移動通信システムにおいて、
少なくとも３つの基地局を備え、
前記ロケータは、三角測定法を利用して、前記移動通信デバイスの位置決めを行う移動通信システム。
【請求項２３】
請求項２０に記載の移動通信システムにおいて、
前記デバイスは、
前記移動通信デバイスの位置決めを行うロケータを更に備えた移動通信システム。
【請求項２４】
請求項２３に記載の移動通信システムにおいて、
前記ロケータは、ＧＰＳを利用して前記移動通信デバイスの位置決めを行うようにした移動通信システム。
【請求項２５】
請求項２０に記載の移動通信システムにおいて、
前記ロケータによって生成された位置を、前記固定テーブルにおける地理領域に変換する位置コンバータを更に備えた移動通信システム。
【請求項２６】
移動通信デバイスを優先的な通信システムに接続する方法であって、
前記移動通信デバイス内の位置関数を用いて前記移動通信デバイスの位置決めを行い、
前記位置決めによって生成された位置をポジション範囲に変換し、
ルックアップテーブルを用いて、前記ポジション範囲を、前記ポジション範囲に対する少なくとも１つの優先的なＳＩＤインデクスに関連付け、
少なくとも１つの優先的なＳＩＤインデクスに対応している優先的なＳＩＤシステムを、ローミングリストから選択し、
前記移動通信デバイスを、前記少なくとも１つの優先的なＳＩＤインデクスによって識別された優先的なＳＩＤシステムに対応するチャンネルに接続するようにした方法。
【請求項２７】
請求項２６に記載の方法において、
前記少なくとも２つの優先的なＳＩＤインデクスは前記ポジション範囲にマッチしており、更に、好みの要求に基づいて、前記選択を行う前に、少なくとも２つの優先的なＳＩＤインデクスに対応する少なくとも２つのチャンネルを連続的に探索するようにした方法。
【請求項２８】
移動通信デバイスであって、
信号送信器と、
信号受信器と、
メモリを含み、前記信号送信器および前記信号受信器と通信可能に接続され、コンピュータソフトウェアを含むプロセッサとを備え、
前記コンピュータソフトウェアは、
前記通信デバイスの位置をポジション範囲に変換し、
前記メモリに格納されたルックアップテーブルを用い、前記ポジション範囲を、前記ポジション範囲についての少なくとも１つの優先的なＳＩＤインデクスに関連付け、
前記メモリに格納されたローミングリストから、少なくとも１つの優先的なＳＩＤインデクスに対応している優先的なＳＩＤを選択し、
前記移動デバイスを、前記優先的なＳＩＤによって表示された優先的なシステムに対応するチャンネルに接続する移動通信デバイス。
【請求項２９】
請求項２８に記載の移動通信デバイスにおいて、
前記ルックアップテーブルは、複数のポジション範囲と、複数のＳＩＤインデクスとを含み、前記少なくとも１つのＳＩＤインデクスは、各ポジション範囲に対応付けられている移動通信デバイス。
【請求項３０】
請求項２９に記載の移動通信デバイスにおいて、
前記ローミングリストは、各システムの少なくとも１つのシステム特性に関して列記された複数の有効なシステムを含んでおり、
前記システム特性は、各システムの少なくとも１つの優先的な状態を含んでおり、各システムはＳＩＤに入力されている移動通信デバイス。
【請求項３１】
移動通信デバイスを優先的な通信システムに接続するシステムであって、
前記移動通信デバイスの位置決めをする手段と、
前記位置決めによって生成された位置をポジション範囲に変換する手段と、
前記ポジション範囲を、前記ポジション範囲についての少なくとも１つの優先的なＳＩＤインデクスに対応付ける手段と、
前記少なくとも１つの優先的なＳＩＤインデクスに対応している優先的なＳＩＤを選択する手段と、
前記移動通信デバイスを、前記優先的なＳＩＤによって表示された優先的なシステムに対応するチャンネルに接続する手段と
を備えたシステム。
【発明の詳細な説明】
【技術分野】
【０００１】
本発明は、一般的に、携帯システムの捕捉方法および装置に係り、更に詳しくは、ポジション位置決め技術を用いることによって、ポータブル通信デバイスによる優先的な携帯システムの迅速な捕捉方法および装置に関する。
【背景技術】
【０００２】
ポータブル電話等の移動局装置または移動通信デバイスの電源がオンにされ作動状態となると、移動通信デバイスは、基地局からの信号を探索する。移動通信デバイスは、ユーザに対してサービスを提供するために適切な基地局へレジストする必要がある。図１に示すように、所定の時間において、作動状態にあるポータブル通信デバイス１０は、幾つかの異なる基地局２０，３０，４０，５０からの信号を検出しうる。これら基地局は、ホーム２０、ローム３０，４０，５０等である。ここでホーム２０やローム４０は優先的であり、ローム３０およびローム５０は優先的ではない。例えば、ＩＳ−９５  ＣＤＭＡシステムでは、移動通信デバイスは、基地局を探索するためにＩＳ−６８３−Ａ規格ローミングリストを使用している。
【０００３】
作動状態の移動通信デバイスは、基地局からの信号を受信する。基地局は、例えば、そのデバイスのホームシステムの一部であったり、競合者システムの一部であったり、あるいはホームシステムとの取り扱いが一致した競合者システムの一部であったりする。ホームシステムの一部である基地局は、信号を送受信する作動状態にある移動通信デバイスとして最も優先されるシステムである。なぜなら、ユーザは一般的には、ホームシステムの使用に対して既に代金を支払っているからである。あまり優先されないシステムは、ホームシステムとの取り扱いまたはロームが一致した競合者システムの一部である基地局である。ローム一致の条件にしたがえば、取り扱いまたはロームが一致した競合者システムを使用した場合には、ユーザは、割り引かれることのない追加料金の支払いをこうむる場合がある。最も優先されないシステムは、例えば、ホームシステムとの間で取り扱いまたはロームが一致しない競合者システムの一部が基地局になる場合である。従って、ユーザすなわちホームシステムは、競合者システムの一部である基地局の利用に対し、実質的な追加料金を支払うことになる。逆にこれは、許可なく競合者システムを利用することになるために頻繁にローミングを必要とする。
【０００４】
従って、作動状態にある移動通信デバイスは、ユーザにとって最も優先的なシステムを認識するために幾つかの方法のうちの１つを使用する。例えばＩＳ−９５  ＣＤＭＡに基づくシステムの場合、電話機は、ＩＳ−６８３−Ａ規格ローミングリストを使用する。このリストは、優先権と地理領域によって取り決められた使用可能なシステムを列挙している。このようなローミングリスト情報の典型的な構成は、表１に示す通りである。
【表１】
2005505949.tif 000003
ＩＳ−６８３−Ａのようなプロトコルにしたがうと、作動状態にあるポータブル通信デバイスの位置は、具体的な地理領域となる。これら具体的な地理領域は、同じ地理領域における種々の移動通信システムを１つにまとめる。従って、同じ地理領域におけるシステムは、別の地理領域の他の携帯システムと区別される。例えば、ある地理領域における第１のシステムは第１の新地理領域と認識され、それと同じ地理領域における次のシステムは、同じ地理領域に存在すると認識されるものの、第１の新地理領域に存在するとは認識されない。仮に次の携帯システムが異なる地理領域にある場合には、このシステムは、第２の新地理領域と認識される。
【０００５】
具体的な地理領域の内部では、システム識別子（ＳＩＤ）とネットワーク識別子（ＮＩＤ）とがシステムを識別する。例えば、このシステムおよびネットワークは、「Ａｉｒｔｏｕｃｈ」（登録商標）または「Ｓｐｒｉｎｔ」（登録商標）である。その後、ローミング表示が、例えば「Ｓｐｒｉｎｔ」のようなシステムが、ホームシステムであるか、あるいはロームシステムであるかを示す。例えば、仮にホームシステムが「Ｓｐｒｉｎｔ」である場合には、「Ｓｐｒｉｎｔ」であるシステムは、ローム表示が「オフ」を読み取ることによってホームシステムと認識される。一方、「Ｓｐｒｉｎｔ」ではないシステムは、ローム表示が「オン」を読み取ることによってロームシステムであると認識される。
【０００６】
表１におけるブロックまたはチャンネル番号は、基地局における送信の頻度を示す。表１における優先度欄は、このシステムが優先的であるか、または優先的ではないかを示している。優先的なシステムが捕捉される一方、優先的でないシステムは、緊急呼出の場合以外は捕捉されない。「好適さファクター」は、第１の携帯システムが、次の携帯システムよりも好適であるか否かを示している。例えば、第１の地理領域では、第１のシステム（ＳＩＤ１０１、ＮＩＤ１）は、第２のシステム（ＳＩＤ１０２、ＮＩＤ２）よりも好適ではない。しかしながら、第２のシステム（ＳＩＤ１０２、ＮＩＤ２）は、３番目のシステム（ＳＩＤ１０３、ＮＩＤ３００）よりも好適である。
【特許文献１】
米国仮出願番号６０／２７６，３７８（２００１年３月１６日）
【発明の開示】
【発明が解決しようとする課題】
【０００７】
一般的に移動通信デバイスは、世界規模に及ぶ通信ネットワークの普及と、ユーザが移動するあらゆる場所へ優先的なサービスを提供したいというサービスプロバイダの要求とによって、幾つかの地理領域に亘る広範なローミング領域を有している。各地理領域は、それぞれ幾つかのＳＩＤを持ちうる。移動通信デバイスは、特定のデバイスの電源がオフにされた最後の瞬間に、このデバイスが接続していた最後の地理領域、すなわちＳＩＤを記憶する能力と、このデバイスの電源が次回にオンされた時に適切な領域を迅速にかつ効率的に探索する能力とを有していることが好ましい。しかしながら、仮にユーザが移動中であって、このデバイスの電源が、前回の適切な領域と重なり合わないような新たな地理領域でオンされた場合には、このデバイスはその後、優先的なサービスを検出するために各地理領域へ進入する毎に逐次探索しなくてはならない。この探索プロセスは長時間を要し、時には数分間に渡ることもあるために、ユーザにとっては不便である。
【０００８】
現在使用可能なアルゴリズムは、取得されたＳＩＤを見ることによって正しい地理領域における「学習された推論」を行う。しかしながら、そのようなアルゴリズムは、移動通信デバイスが既知のシステム（すなわち、ローミングリスト内にＳＩＤを備えたシステム）を取得した場合にのみ適切に動作する。仮に電話機が既知のシステムを取得しなければ、「学習された推論」システムは、特に地理領域が広い場合には、最も優先的なシステムを検出するのに極めて長時間を要する。
【０００９】
したがって、この必要性は、優先的なシステムが位置するまで全ての有効な地理位置とシステムとを探索する必要がなく、ユーザの位置に基づいてシステムを迅速に取得することが要求される移動通信デバイスおよびシステムに対して存在する。
【課題を解決するための手段】
【００１０】
本発明は、移動通信デバイスに係る。この移動通信デバイスは、信号送信器、信号受信器、およびプロセッサ／メモリを有している。このプロセッサ／メモリは、固定テーブルを有しており、信号送信器および信号受信器と通信する。プロセッサ／メモリは、デバイスの位置を、少なくとも１つの優先的なシステムに直接的に関連させる。移動通信デバイスは、固定テーブルにおける比較のために、ロケータから得られた位置をポジション範囲に変換する位置コンバータを更に含む場合がある。このポジションロケータは、移動通信デバイスに搭載された受信器である。この固定テーブルは、好適には少なくとも１つのローミングリストと少なくとも１つのルックアップテーブルとを含んでいる。
【００１１】
本発明はまた、移動通信システムにも係る。この移動通信システムは、少なくとも１つの基地局と少なくとも１つの移動通信デバイスとを含んでいる。この移動通信デバイスは、信号送信器と、信号受信器と、プロセッサとを含んでいる。好適な実施例では、各移動局はポジションロケータを含んでいる。このロケータは、移動通信デバイスの位置を把握し、その地理位置を位置コンバータに送信する。この位置コンバータは、ロケータによって生成された位置を、固定テーブル内の地理領域に変換する。
【００１２】
更に、本発明は、移動デバイスを優先的な通信システムに接続する方法に係る。この方法は以下に示す各ステップからなる。すなわち、ロケータの機能を介して、移動通信デバイスのポジションの位置決めを行うステップ。生成された位置をポジション範囲に変換するステップ。ルックアップテーブルを用いて、ポジション範囲を、このポジション範囲に対する少なくとも１つの優先的なＳＩＤインデクスに関連付けるステップ。ローミングリストから優先的なＳＩＤを選択するステップ。ここで、優先的なＳＩＤは、少なくとも１つの優先的なＳＩＤインデクスに対応している。更に、この移動デバイスを、優先的なＳＩＤに対応したチャンネルに接続するステップである。少なくとも２つの優先的なＳＩＤインデクスがポジション範囲に対応している実施例では、前述した方法は更に、前述した選択するステップの前に、優先的な手順に従って少なくとも２つの優先的なＳＩＤインデクスに対応する少なくとも２つのチャンネルを逐次探索するステップが存在する。
【００１３】
本発明は更に、以下に示すようなプロセッサを有する移動通信デバイスに係る。このプロセッサは、メモリを備えており、デバイスに通信可能なように接続され、以下に示す各ステップの通り動作するコンピュータソフトウェアを備えうる。このコンピュータソフトウェアの各ステップは、以下の通りである。すなわち、移動デバイスの位置をポジション範囲に変換するステップ。ルックアップテーブルを用いて、ポジション範囲を、このポジション範囲に対する少なくとも１つの優先的なＳＩＤインデクスに関連付けるステップ。ここでルックアップテーブルはメモリに格納されている。ローミングリストから優先的なＳＩＤを選択するステップ。ここで、優先的なＳＩＤは、少なくとも１つの優先的なＳＩＤインデクスに対応しており、ローミングリストはメモリに格納されている。この移動デバイスを、優先的なＳＩＤに対応したチャンネルに接続するステップである。
【発明の効果】
【００１４】
本発明は、従来技術が経験していた問題を解決する。というのも、本発明は、ポータブル通信デバイスおよびシステムを備えており、これによって、優先的なシステムの位置決めがなされるまで、全ての有効な地理位置とシステムとを探索する必要なく、ユーザの位置に基づいてシステムを迅速に捕捉することが可能となるからである。また、本発明の他の有用性および利点が下記の記載から明らかとなる。
【発明を実施するための最良の形態】
【００１５】
本出願は、上記特許出願１に対する優先権を主張するものである。
【００１６】
以下に、本発明を実施するための最良の形態について図面を参照しながら説明する。本発明における図面および記述は、本発明の明確な理解に関する要素を例示するために、典型的な通信デバイスやシステムで見られる多くの他の要素を省き、簡略化されたものであると理解されたい。
【００１７】
当該技術分野における当業者であれば、他の要素が本発明を実施するために望ましいか及び／又は必要とされることを理解するであろう。しかしながら、当該技術分野ではそのような要素は良く知られており、本発明の更なる理解の助けとはならないことから、これらの要素についてはここでは述べない。
【００１８】
図２は、移動通信デバイス１００を示すブロック図である。デバイス１００は、信号送信器１０２と、信号受信器１０４と、情報入力ポータル１０６と、固定テーブル１１０を含んだプロセッサ及び／又はメモリ１０８と、更に好適な実施例ではロケータ１２０と位置コンバータ１２２とを備えている。
【００１９】
信号送信器１０２と信号受信器１０４は、当該技術における当業者には良く知られたものであり、例えば、ポータブル電話機のようなデバイスにおける受信器または送信器でありうる。情報入力ポータル１０６は、例えばキーパッド、タッチスクリーン、または当該技術で知られた他の情報入力ポータルでありうる。
【００２０】
メモリ１０８は、あらゆる型式のデジタル記憶デバイスでありうる。たとえば、ディスクリート型または埋め込み型のＲＡＭ、ＥＥＰＲＯＭのような再書込可能なＰＲＯＭ、あるいはＲＡＭや当該技術で知られた簡易または複雑なメモリデバイスとして構成されたＡＳＩＣやＦＰＧＡにおける記憶セルの如くである。メモリ１０８は、プロセッサに接続されているか、またはプロセッサ内に含まれる。また、メモリ１０８は、固定テーブル１１０を含んでいる。固定ルックアップテーブル１１０の好適な実施例は、図３に示されている。本発明で使用される固定テーブル１１０は、好適には表１に示すような少なくとも１つのローミングリスト２０２のフォームを含んでいる。しかしながら、表１に示すような地理領域毎にローミングリストの分割は、地理領域が変更になる毎に新たな探索を必要とすることから、図３のローミングリスト２０２は、ルックアップテーブル２０４に入力されている。ルックアップテーブル２０４は、既知の地理ポジション２０６と、ローミングリスト２０２においてＳＩＤ２１０に対応するＳＩＤインデクス２０８とを比較する。この場合、ある地理位置について、ローミングリスト２０２における各ＳＩＤ２１０に亘って探索する必要はない。ＳＩＤは、ＳＩＤポジション１（ＳＩＤ１）が位置Ｌ２に入力されているように、入力されたインデクスである。ここで図３におけるＳＩＤ１インデクスキーは、表１におけるＳＩＤ１０１に対応している。あるいはＳＩＤは、Ｌ２がＳＩＤ１０１に直接的に関連しているように、地理位置に直接入力される。従って、ローミングリスト２０２は、ローミングリスト２０２における各システムの優先状態を列挙しており、各システムをＳＩＤ番号２１０に対応付けている。このＳＩＤ番号２１０は、ＳＩＤインデクス２０８に対応している。ここでＳＩＤインデクス２０８はルックアップテーブル２０４に列挙されている。また、ＳＩＤ番号２１０は、ルックアップテーブル２０４において、ポジション範囲２０６との対応が図られている。固定テーブル１１０は、好ましくは移動通信デバイス１００に存在する。固定テーブル１１０は、デバイス１００の起動毎に更新されるか、または例えば週に１回など、予め定められた周期で更新することができる。この更新は基地局でなされ、例えば固定テーブルがデバイス１００上で維持されている実施例に示すように、起動された基地局に接続しているデバイス１００へと転送される。
【００２１】
動作時に、ポジション２０６がルックアップテーブル２０４によって取得された場合には、優先的なＳＩＤ２０８が直ちに知らされ、通信デバイス１００が補正チャンネル２２０に合わされ、優先的な特性を持つシステム２０，３０，４０，５０の捕捉がなされる。例えば、上述した例では、取得された位置がＬ２である場合、Ｓ１がマッチングＳＩＤインデクスとして認識され、ＳＩＤ１０１に対応する。なお、ＳＩＤ１０１はチャンネル４２５を占有する。従って、その後、通信デバイス１００は、チャンネル４２５に合わせられ、ＳＩＤ１０１が取得される。特定の位置は、特定の手順において優先的な複数のＳＩＤを持つ。例えば、ある第１のシステムは第１のプロバイダネットワームであり、第２のシステムは第１のプロバイダと調和する低速のセカンドプロバイダであり、第３のシステムは第１のプロバイダと調和する標準速度の第３のプロバイダかもしれない。従って、第１のネットワークが最も優先的であり、第２のネットワークは２番目に優先的であり、第３のネットワークはあまり優先的ではない。このような具体例において、図３に示すように位置２０６がＬ３である場合には、位置２０６は、例えば図３に示すＳ２０，Ｓ２１，およびＳ３０に示すように複数のインデクス２０８にマッチしうる。そして、これらＳＩＤインデクスに対応するチャンネル２２０は、優先的なシステム２０の接続がなされるまで、チャンネル２２０に対応したＳＩＤに対応したネットワークの優先権の要求に対応したシーケンスに従って合わせられる。
【００２２】
図３に示されたルックアップテーブル２０４における位置２０６は、好適にはロケータ１２０によって生成される。ロケータ１２０は、好ましくは、移動通信デバイス１００に存在する。ロケータ１２０は、例えばＧＰＳを用いた衛星に基づくものであって良い。ここでは、移動通信デバイス１００の位置決めを行うために、衛星トラッキングが用いられる。また、ロケータ１２０は、三角測量に基づくものであってもよい。ここでは、ロケータビーコン又は他の適切な信号を有する複数の基地局１３０によって、移動通信デバイスロケータ１２０に、移動デバイス１００と固定されたポジション基地局ビーコンとの間の距離を、異なるアルゴリズムを用いて測定させ、位置２０６を生成させる。
【００２３】
一般に、ロケータ１２０は「ｘｙｚ」座標における位置を生成する。ここで、「ｘｙｚ」座標は、一般には、緯度位置ｘ、経度位置ｙ、および高さ位置ｚに対応している。従って、例えば移動デバイス１００の位置２０６は、６０°，２０’０５”，３５°０１'２９''，８２のように三角測量を用いて生成される。好適な実施例では、この「ｘｙｚ」位置は、その後、位置コンバータ１２２によって、１つ以上のローミングリスト２０２内のキャリアによって特定される地理領域に変換される。例えば、上記の座標は、表１における地理領域１に当てはまりうる。この座標は、図３に示す位置コンバータ１２２によるＬ１に対応している。すなわち、Ｌ１は、地理領域１に相当する。位置コンバータ１２２は、好適にはソフトウェアであって、移動通信デバイス１００におけるプロセッサ及び／又はメモリ１０８に存在しうる。
【００２４】
図４は、移動デバイスを優先的な通信システムに接続する方法３００を示すフロー図である。方法３００は、好適には以下のステップ３０２，３０４，３０６，３０８，および３１０を含む。ステップ３０２では、移動通信デバイスのロケータ機能を用いて位置決めを行う。ステップ３０４では、生成された位置を、ポジション範囲に変換する。ステップ３０６では、ルックアップテーブルを用いて、ポジション範囲を、このポジション範囲に対する少なくとも１つの優先的なＳＩＤインデクスに関連付ける。ステップ３０８では、ローミングリストから優先的なＳＩＤを選択する。ここで、優先的なＳＩＤは、少なくとも１つの優先的なＳＩＤインデクスに対応している。ステップ３１０では、移動通信デバイスを優先的なＳＩＤに対応するチャンネルに接続する。図４の方法は、図２および図３の対応する要素と同様に、デバイスの電源がオンされる毎に、または予め定められた時間毎に周期的に、または新たなシステムや新たな基地局を使用することが必要になった場合になされることは、当該技術における当業者であれば明らかなことであろう。
【００２５】
また、当業者であれば、本発明の多くの改良や変形もまた適用可能であることを理解できよう。前述の記載と、請求項は、これら全ての改良や変形例を包含することを意図としている。
【図面の簡単な説明】
【００２６】
【図１】移動通信システムの一例を示す概念図。
【図２】移動通信デバイスの一例を示すブロック図。
【図３】移動通信デバイスで用いられる固定テーブルを示すグラフィック図。
【図４】移動デバイスを優先的な通信システムに接続する方法を示すフロー図。
【符号の説明】
【００２７】
１０…ポータブル通信デバイス、２０，３０，４０，５０…システム、１００…移動通信デバイス、１０２…信号送信器、１０４…信号受信器、１０６…情報入力ポータル、１０８…メモリ、１１０…固定ルックアップテーブル、１２０…移動通信デバイスロケータ、１２２…位置コンバータ、１３０…基地局、２０２…ローミングリスト、２０４…ルックアップテーブル、２０６…ポジション範囲、２０８…ＳＩＤインデクス、２１０…ＳＩＤ、２２０…チャンネル
【図１】
2005505949.tif 000004
【図２】
2005505949.tif 000005
【図３】
2005505949.tif 000006
【図４】
2005505949.tif 000007
【国際公開パンフレット】
2005505949.tif 000008
2005505949.tif 000009
2005505949.tif 000010
2005505949.tif 000011
2005505949.tif 000012
2005505949.tif 000013
2005505949.tif 000014
2005505949.tif 000015
2005505949.tif 000016
2005505949.tif 000017
2005505949.tif 000018
2005505949.tif 000019
2005505949.tif 000020
2005505949.tif 000021
2005505949.tif 000022
2005505949.tif 000023
2005505949.tif 000024
2005505949.tif 000025
2005505949.tif 000026
2005505949.tif 000027
2005505949.tif 000028
2005505949.tif 000029
2005505949.tif 000030
2005505949.tif 000031
【国際公開パンフレット（コレクトバージョン）】
2005505949.tif 000032
【国際調査報告】
2005505949.tif 000033
2005505949.tif 000034